(57)【要約】【課題】種子から混在する除去対象物を選別する際に、吸引管内に一部種子や除去対象物が全く滞留することがなく、高い精度で所望の種子だけを得ることができる吸引式種子精選装置を提供すること。【解決手段】垂直吸引管１１と、この垂直吸引管１１の上部に下方に向かって鋭角の角度をもって一端が接続されている連結管と、この連結管の他端に接続されている吸引装置とを有してなる。【選択図】図１
2014171933.tif 000002
【特許請求の範囲】
【請求項１】
垂直吸引管と、この垂直吸引管の上部に下方に向かって鋭角の角度をもって一端が接続されている連結管と、この連結管の他端に接続されている吸引装置とを有することを特徴とする吸引式種子精選装置。
【請求項２】
前記鋭角の角度が、７５度以下であることを特徴とする請求項１記載の吸引式種子精選装置。
【請求項３】
前記連結管が、前記垂直吸引管の上部に接続角度０度で一端が接続されている垂直管部及びこの垂直管部の他端に下方に向かって鋭角の角度をもって一端が接続されている傾斜管部を有してなり、前記垂直吸引管の上部と前記垂直管部の上部とには、両者を連通する開口部が設けられていることを特徴とする請求項１又は２記載の吸引式種子精選装置。
【発明の詳細な説明】
【技術分野】
【０００１】
本発明は、種子から、混在する籾殻、シイナ種子、未熟種子、マメがら、ゴミ等の除去対象物を選別し、所望の種子を得るための吸引式種子精選装置に関する。
【背景技術】
【０００２】
風力を利用した種子精選装置としては、吹き上げ式、吸引式、密閉式が知られている。吹き上げ式は、例えば、下部に吹き上げ送風機があり、筒内はプラス圧になっており、風は下方から上方へ流れ、その筒の途中から、できるだけ垂直方向の運動エネルギーがゼロになるように選別物を投入し、重量物は中網上をすべり排出され、軽量物は拡散室内で風と分離されて落下捕集される構成となっている。吸引式は、例えば、サイクロン上部に吸い上げ排風機が設けられ、下部はロッカーバルブでエアーロックされており、サイクロンとつながっている筒はマイナス圧になり、風は下方から上方へ流れ、選別物の投入方法は吹き上げ式の場合と同様であり、重量物は筒下部から落下させて排出し（中網等はない）、軽量物はサイクロンで風と分離され、ロッカーバルブを介して排出される構成となっており、吹き上げ式の場合と比べて高い動力が必要である。また、密閉式は、送風機の吸引と排気がつながっており、その途中に筒があり、そこに投入された選別物のうち重量物はそのまま落下し、ロッカーバルブを介して排出され、軽量物は、拡散室で風と分離され、ロッカーバルブを介して排出される構成となっている。
【０００３】
従来の種子精選装置でも、精選する種子の品種系統が１種類であれば、それ程問題は生じないが、研究機関や種苗会社等で様々な品種系統を一連の作業で順次処理する場合、直前に処理した品種系統の種子又は混在している籾殻、シイナ種子等が装置配管内部に滞留し、それが逆流して、次に処理する品種系統の種子に混入してしまい、コンタミネーションが生じるという問題がある。
【０００４】
例えば、比重の小さい除去対象物を排気室へ吸引し、比重の大きい穀物を風選部から落下せしめて穀物の選別を行う縦型穀類選別機が知られている（例えば、特許文献１参照）。
【０００５】
また、従来から使用・実施されている図６に示す吸引式種子自動精選機の場合、垂直吸引管６１と連結管６２とサイクロン６３とを有してなり、種子の吸引を始め、吸引力を調整することにより、吸引されて垂直吸引管６１内を浮遊していた所定の重さを有する種子は降下し、容器６４内に溜まる。垂直吸引管６１から吸引された種子の一部や除去対象物は、踊り場６１ａを経て、連結管６２内を運ばれ、サイクロン６３内を降下し、除去対象物は溜まり容器６５内へ溜まる。この場合、降下せずに上部へ吸引された比重の軽い種子や除去対象物の一部が、サイクロン６３へ運ばれず、垂直吸引管６１とサイクロン６３とを接続する連結管６２（図中のＡ部分）内に滞留し、この滞留したものが逆流して垂直吸引管６１内を下降し、精選された種子に混入してしまうという問題が生じている。滞留物が生じれば、装置内をクリーニングしなければならず、作業の手間が増えるという問題もある。さらに、大きな除去対象物が配管内に詰まった場合、コンタミネーションの原因になるという問題もある。
【先行技術文献】
【特許文献】
【０００６】
【特許文献１】特開平６−１０６１３０号公報
【発明の概要】
【発明が解決しようとする課題】
【０００７】
従来、多数の品種系統の種子（１００品種系統、２００品種系統又はそれ以上）を連続して精選処理する場合、１つの品種系統の精選処理を終了した後に、精選処理をした種子やシイナ種子やゴミ等が配管内に残存し、逆流することにより、品種系統間のコンタミネーションを起こしていた。そのため、種子の収集のためには、品種系統間のコンタミネーションを生じない種子精選装置の開発が求められていた。
【０００８】
また、従来の吸引式種子精選装置は、大型で重量があるので、持ち運びが非常に困難であるため、種子収集の際に携帯可能な種子精選装置の開発が求められていた。
【０００９】
本発明の課題は、上述の従来技術の問題点を解決することにあり、種子中に混在する籾殻、シイナ種子、未熟種子、マメがら、ゴミ等の除去対象物を選別する際に、連結管等の配管内に種子や除去対象物が全く滞留することなく、高い精度で所望の種子だけを得ることができる吸引式種子精選装置を提供することにある。
【課題を解決するための手段】
【００１０】
本発明の吸引式種子精選装置は、垂直吸引管と、この垂直吸引管の上部に下方に向かって鋭角の角度をもって一端が接続されている連結管と、この連結管の他端に接続されている吸引装置とを有することを特徴とする。
【００１１】
前記鋭角の角度が、７５度以下であることを特徴とする。
【００１２】
前記角度が７５度を超えると、連結管内に精選しようとする種子の一部及び除去対象物が滞留する傾向があり、滞留したものが逆流し、精選した種子の中に混入してしまうという問題が生じる。特に、水平（９０度）であると、この連結管内にシイナ種子等の一部種子や除去対象物が滞留し、逆流することが甚だしい。このような滞留物が生じると、多数の品種系統の種子を連続して精選処理する場合、異なる品種系統の種子が混ざってしまうという問題が生じる。
【００１３】
前記精選装置において、前記連結管が、前記垂直吸引管の上部に接続角度０度で一端が接続されている垂直管部及びこの垂直管部の他端に下方に向かって鋭角の角度をもって一端が接続されている傾斜管部を有してなり、前記垂直吸引管の上部と前記垂直管部の上部とには、両者を連通する開口部が設けられていることを特徴とする。
【発明の効果】
【００１４】
本発明によれば、垂直吸引管に接続される連結管を垂直吸引管に対して鋭角の角度で接続してあるので、多数の品種系統の種子を連続して精選処理する場合、精選処理後、全ての配管（吸引管、連結管を含む）内に種子や除去対象物が全く滞留せず、所望の種子だけを精度高く精選することができる。
【００１５】
また、本発明の装置は、例えば通常の掃除機の吸引力でも十分な精選効果が得られるため、軽量かつ安価であり、各部品に分解して収納した形での携帯が可能であるため、野外等での種子収集に適している。
【図面の簡単な説明】
【００１６】
【図１】（ａ）は、本発明の吸引式種子精選装置の一構成例を示す模式的概略側面図、（ｂ）は、この精選装置で用いることができる風量調整装置の一構成例を示す模式的概略断面図、そして（ｃ）は、（ｂ）の線Ａ−Ａ切断部平面図。
【図２】本発明の吸引式種子精選装置の垂直吸引管と連結管との接続部について説明する図面であり、（ａ）は、接続部分周辺を示す模式的断面図、（ｂ）は、垂直吸引管と連結管との接続状態を示す模式的斜視図、そして（ｃ）は、（ｂ）に示す模式的斜視図を明確に説明するための写真図面。
【図３】本発明の吸引式種子精選装置の他の構成例を示す模式的概略断面図、（ａ）〜（ｃ）は、それぞれ、異なる形状を示す。
【図４】本発明の吸引式種子精選装置を分解して、筐体内に収納した状態の一例を示す図面であり、（ａ）は、収納状態を示す模式的側面図、（ｂ）は、収納状態を示す模式的上面図。
【図５】本発明の吸引式種子精選装置の吸引管と異なる形状の吸引管の断面図であり、（ａ）は、逆Ｕ字型の吸引管の場合の断面図、（ｂ）は、山形の吸引管の場合の断面図。
【図６】従来から使用・実施されている吸引式種子自動精選機の模式的概略側面図。
【発明を実施するための形態】
【００１７】
本発明の吸引式種子精選装置の実施の形態によれば、この装置は、垂直吸引管と、この垂直吸引管の上部に下方に向かって７５度以下の角度をもって一端が接続されている連結管と、この連結管の他端に接続されている吸引装置とを備えている。
【００１８】
以下、図面を参照して、本発明の吸引式種子精選装置について説明する。図１、２、４において、同じ構成要素は、同じ参照番号を付してある。
【００１９】
本発明に係る吸引式種子精選装置の一実施の形態を示す図１（ａ）の模式的概略側面図によれば、吸引式種子精選装置１０は、精選したい種子を下部より吸引する垂直吸引管１１と、垂直吸引管１１の上部に一端が接続されている傾斜管部１２及びこの傾斜管部の他端に一端が接続されている垂直管部１３からなる連結管と、垂直管部１３に接続された吸引装置（図示せず）と、吸引風量を調整する風量調整装置１４とを有している。傾斜管部１２は、垂直吸引管１１の上部に、斜め下方に向かうように接続されている。これらの管は、その断面が円形であっても多角形であっても良い。
【００２０】
上記垂直吸引管１１の下方の端部１１ａは、種子収納容器１５内に収納された精選される種子を吸引する際に種子収納容器１５が垂直吸引管１１に密着閉塞しないような所定の形状、例えば波形形状となっていることが好ましい。
【００２１】
また、傾斜管部１２は、垂直吸引管１１の上部に下方に向かって鋭角の角度を持って接続されており、この角度は、図１（ａ）では４５度の場合が例示されている。一般には８０度未満、好ましくは７５度以下、より好ましくは４５度以下であり、下限は０度であるように構成される。この範囲内の角度であれば、吸引された種子の一部や混在する籾殻、シイナ種子、未熟種子、マメがら、ゴミ等の除去対象物が傾斜管部１２の内部に滞留することは問題になることはない。
【００２２】
上記角度が７５度を超え９０度に近づくにつれて、滞留率（精選したい種子中の除去対象物等が傾斜管部内に滞留する割合（％））は増加し、この滞留物の逆流が生じる恐れがある。８０度の場合でも、１００回（１００品種系統の種子）を超える連続精選処理では、軽い種子や扁平な種子を精選処理する場合には若干の滞留率はあり得るが、７５度以下であれば、１０００回（１０００品種系統の種子）の連続精選処理を行ってもシイナ種子等や混在する籾殻等の除去対象物が滞留することは全くない。
【００２３】
次に、垂直吸引管１１と傾斜管部１２との接続部について、図２（ａ）、（ｂ）及び（ｃ）を参照して説明する。図２（ａ）は、垂直吸引管１１と傾斜管部１２との接続部分周辺を示す模式的断面図であり、図２（ｂ）は、垂直吸引管１１と傾斜管部１２との接続状態を示す模式的斜視図であり、そして図２（ｃ）は、図２（ｂ）に示す模式的斜視図を明確にするための写真図面である。この接続部分の断面は、放物線形状の突起状部２０（但し、傾斜管部１２の接続角度が０度の場合を除く）を有している。これにより、かりに傾斜管部１２に滞留物が生じたとしても、垂直吸引管１１を介して種子収納容器１５内へ逆流しないように構成されている。垂直吸引管１１と傾斜管部１２との接続の角度が０度の場合は、垂直吸引管１１と傾斜管部１２との接続部分の上部が所定の開口部（通風口）を有するように構成され、その開口部の断面形状は、放物線形状ではなく円形等の任意の開口部を形成するように構成できる。
【００２４】
傾斜管部１２と垂直管部１３との間は、所定の角度を持ったエルボ１６でつながれている。
【００２５】
垂直管部１３のエルボ側と逆の端部は、例えば、バルブソケット１７を介して袋ナット等で筐体１８の上蓋１８ａに装着され、垂直管部１３の先端部は筐体１８内部で吸引装置の吸引口に接続される。吸引装置の本体は筐体１８の外部に設置されることが好ましい。この吸引装置に関しては、種子を吸引できる吸引力を有するものであれば、特に制限はなく使用できる。例えば、通常の掃除機を利用できる。なお、図１において１９は吸引装置（例えば、掃除機）への継手接続部である。
【００２６】
この吸引装置の吸引仕事率は、可変装置を備えた吸引装置であれば、その可変装置により、そうでなければ吸引力切り替えスイッチを備えた上記風量調整装置１４等により、被精選種子の重量、形状、大きさ、除去対象物の混合割合等に基づいて、適宜、変動できるようにされている。そのため、精選処理したい各種種子に応じて、適宜、風量を調整しながら精選処理を実施できる。風量調整装置１４は、風量を調整できるものであれば特に制限はない。例えば、図１（ｂ）及び（ｃ）に示すように、円状開口部１４ａとこの開口部の面積を調整するための可変部材１４ｂとを有してなり、前記可変部材は前記開口部に嵌合しており、この可変部材の上部はつまみ部１４ｃを備えている。前記つまみ部を保持しながら回転させ、前記開口部の面積を増減することにより、吸引風量を調整することができる。
【００２７】
上記した垂直吸引管１１、連結管（傾斜管部１２及び垂直管部１３）を透明な合成樹脂素材、例えば、アクリル樹脂、塩化ビニル樹脂、ポリプロピレン、ポリエチレン、ＰＥＴ、ガラス等で作製することが好ましい。種子精選装置の運転中に、吸引管、連結管内部の種子の精選状態、浮遊状態を肉眼で観察しながら、適宜、運転調整することができると共に、不都合が生じた場合に直ちに運転を停止することができるようにするためである。
【００２８】
垂直吸引管１１、連結管（傾斜管部１２、垂直管部１３）は、内部壁面のクリーニング及び収納の点を考慮して、複数に分割できるようになっていてもよい。例えば、図１（ａ）に示すように、傾斜管部１２は２つの部品（１２ａ及び１２ｂ）に分割されていることが好ましい。そして垂直管部１３は、図示していないが分割されていても良いし、垂直でなくても良い。但し、垂直吸引管１１と部品１２ａとは一体化されている。分割する数は適宜調整すればよい。分割部品の組み立て、組み立て品の分解は、通常の配管の組み立て、分解の場合と同様であれば良い。例えば、図２に示すように、各部品の管端部の一方又は両方を広口にし、その広口部分に、対応する寸法を有する接続する部品の管端部を組み合わせ、嵌合せしめる。部品同士を接続する際には、例えば、傾斜管部１２の場合、図１（ａ）に示すように、部品１２ａと部品１２ｂとを脱着ピン（例えば、アイボルト等）１２ｃを用いて取り付ければよい。
【００２９】
本発明に係る吸引式種子精選装置の他の実施の形態を示す図３（ａ）〜（ｃ）の模式的概略断面図では、吸引式種子精選装置を構成する吸引管と連結管（垂直連結部、傾斜管部）との配置以外は図１に示す装置と同じであるため、図示及び詳細な説明を省略する。
【００３０】
図３（ａ）に簡略化して示すように、垂直吸引管３１と、その上部に接続する垂直連結部３２ａ（接続角度０度）及びこの連結部３２ａの他端に接続する傾斜管部３２ｂからなる連結管３２とで構成されている。なお、垂直吸引管３１に対する垂直連結部３２ａの接続角度０度とは、図１との関係で既に説明した垂直吸引管１１と傾斜管部１２との接続の角度が０度の場合と同様な構成であるので、説明を省略する。この垂直吸引管３１と垂直連結部３２ａとは、両者の接続部分に隔壁３１ａが形成され、上部が開口するように配置・構成される。すなわち、垂直吸引管３１の上部と垂直連結部３２ａの上部との接続部分には、両者を連通する所定の開口部（通風口）が設けられ、その開口部の断面形状は、放物線形状ではなく円形等の任意の開口部を形成するように構成できる。また、傾斜管部３２ｂは、垂直連結部３２ａの他端に、下方に向かって鋭角に取り付けられている。なお、隔壁３１ａの上端部は、図３（ｂ）及び（ｃ）に示す場合と同様に、右下方に傾斜していることが好ましい。図３（ｂ）及び（ｃ）の構成については、図３（ａ）の説明から自明であるので、その説明を省略する。
【００３１】
上記傾斜管部３２ｂの傾斜角度は、図１に示す傾斜管部１２の場合と同様に、図３では４５度の場合が例示されている。一般には８０度未満、好ましくは７５度以下、より好ましくは４５度以下であり、下限は０度であるように構成される。７５度以下の範囲内の角度であれば、吸引された種子の一部や混在する籾殻、シイナ種子、未熟種子、マメがら、ゴミ等の除去対象物が連結管３２を構成する垂直連結部３２ａ及び傾斜管部３２ｂの内部に滞留することは全くない。
【００３２】
角度が７５度を超えて９０度に近づくにつれて、滞留率（精選したい種子中の除去対象物等が連結管３２内に滞留する割合（％））は増加し、この滞留物の逆流が生じる恐れがある。しかし、７５度以下であれば、多数（１０００回程度）の連続精選処理を行ってもシイナ種子等や混在する除去対象物が滞留することは全くない。
【００３３】
図１に示す吸引式種子精選装置を各部品に分解して、吸引装置として用いる掃除機と共に、全ての部品を筐体１８内に収納することができる。かくして、保管場所の省スペース化が図れる。収納状態に制限はなく、全ての部品が筐体１８内へ収まるように適宜行えば良い。その収納状態の一例を図４（ａ）及び（ｂ）に示す。図４（ａ）は、収納状態を示す模式的側面図であり、図４（ｂ）は、収納状態を示す模式的上面図である。図４（ａ）及び（ｂ）においては、図１の場合と同じ部品等を同じ参照番号で示してあるので、その説明は省略する。
【００３４】
本発明の吸引式種子精選装置により精選できる種子の作物種は、従来から精選処理されている種子であれば特に制限はない。例えば、イネ、ムギ、アワ、大豆、アズキ、タカキビ、ソバ、キビ等の作物種を挙げることができる。
【実施例１】
【００３５】
図１に示す吸引式種子精選装置において、垂直吸引管１１の上部に接続される傾斜管部１２の角度を、垂直吸引管に対して９０度（水平）、また、下方に８５度、８０度、７５度、４５度、及び０度と変動させた精選装置を用いて、種子の精選を実施した。精選物として、穂軸片、葉片、籾殻を混入せしめたイネの種子（籾）を用い、１カルトン（木鉢）につき、１０回の精選をし、それを１０カルトン行い、合計１００回を１セットとした。この１セットを３回繰り返し、合計３００回の精選を行った。接続角度が８０度と７５度の精選装置を用いた場合は、合計３００回の精選とは別に、上記１セットを１０回繰り返し、合計１０００回の精選を行った。ここで、角度が０度とは、例えば図３（ａ）及び（ｂ）に示すように、垂直吸引管３１に接して垂直連結部３２ａが配置されている状態を意味する。
【００３６】
上記精選の結果については、傾斜管部１２内に残ったイネの種子数（シイナ種子、未熟種子を含む）を数えることにより評価し、以下の表１及び２に纏めて示す。表１におけるａ、ｂ、及びｃは、それぞれ、１回目、２回目、及び３回目のセットをそれぞれ実施後の残存種子の数を示すものであり、Ｘは、３００回の精選処理実施後の残存種子の合計数（全種子中の割合（％））を示す。また、表２におけるａ〜ｊは、それぞれ、１回目〜１０回目のセットをそれぞれ実施後の残存種子の数を示すものであり、Ｙは、１０００回の精選処理実施後の残存種子の合計数（全種子中の割合（％））である。
【００３７】
【表１】
2014171933.tif 000003
【００３８】
【表２】
2014171933.tif 000004
【００３９】
表１及び２から明らかなように、垂直吸引管と傾斜管部との接続部分の角度が９０度（水平）である場合は、１回目、２回目及び３回目のそれぞれのセットを実施した後に、傾斜管部内に残存する種子の数が多く、３００回の精選処理を実施した後の種子残存率は、９％以上であった。８５度の場合も、９０度の場合と比べると残存種子の数は少ないが、１回目、２回目及び３回目のそれぞれのセットを実施した後に、傾斜管部内に残存する種子が観察され、３００回の精選処理を実施した後の種子残存率は４％以上であった。８０度の場合には、２回目及び３回目のセットを実施した後に、それぞれ、傾斜管部内に残存する種子が１つ存在し、３００回の精選処理を実施した後の種子残存率は０．６７％（残存数：２つ）であり、また、１０回のセット（１０００回の精選処理）を実施した後の種子残存率は０．７０％（７つ）であった。垂直吸引管と傾斜管部との接続部分の角度が７５度、４５度及び０度である場合は、１〜３回目のセットを実施した後の傾斜管部内に残存する種子の合計数は０個であった。角度が７５度である場合は、１〜１０回目のセットを実施した後でも、連結管内に残存する種子の合計数は０個であった。なお、７５度以下の場合、精選処理前にイネの種子内に混入させた穂軸片、葉片、籾殻は全て取り除かれていた。
【００４０】
上記結果を勘案すれば、垂直吸引管と連結管の傾斜管部との接続部分の角度が８０度未満であれば、１００回以下の精選処理を連続して行う場合には、十分実用に耐えること、また、７５度以下であれば、１０００回の精選処理を連続して行う場合でも、十分に実用に耐えることが確認できた。
【００４１】
なお、図５（ａ）及び（ｂ）に示すように、傾斜管部を設けずに、吸引管の上向きから下向きに変わる部分を逆Ｕ字型や山形にした吸引管を試作し、上記と同様な種子の精選処理を実施したところ、いずれの場合も、少ない回数の精選処理で逆Ｕ字型部分や山形部分に種子の滞留が生じ、種子収納容器内へ逆流し、コンタミネーションを起こした。
【産業上の利用可能性】
【００４２】
本発明の吸引式種子精選装置は、連続して多数の品種系統の種子を精選処理する場合に、配管内に一部の種子や除去対象物が滞留せず、所望の種子を精選することができ、かつ安価（従来品は１００万円程度であるが、本発明品はその１／１０以下である）、軽重量（従来品は３０ｋｇ程度であるが、本発明品は吸引装置を含めて４ｋｇ程度である）、コンパクトである。従って、本発明は、連続して複数の品種系統を一連の作業で順次処理する研究機関や種苗会社や、雑穀や大豆等の栽培農家等で利用可能であり、さらには自家製味噌等を製造する家庭等でも利用可能である。
【符号の説明】
【００４３】
１０  吸引式種子精選装置              １１  垂直吸引管
１１ａ  端部                          １２  傾斜管部
１２ａ、１２ｂ  部品                  １２ｃ  脱着ピン
１３  垂直管部                        １４  風量調整装置
１４ａ  円状開口部                    １４ｂ  可変部材
１４ｃ  つまみ部                      １５  種子収納容器
１６  エルボ                          １７  バルブソケット
１８  筐体                            １８ａ  上蓋
１９  継手接続部                      ２０  放物線形状の突起状部
３１  垂直吸引管                      ３１ａ  隔壁
３２  連結管                          ３２ａ  垂直連結部
３２ｂ  傾斜管部                      ６１  垂直吸引管
６１ａ  踊り場                        ６２  連結管
６３  サイクロン                      ６４、６５  容器
【図１】
2014171933.tif 000005
【図３】
2014171933.tif 000006
【図４】
2014171933.tif 000007
【図５】
2014171933.tif 000008
【図６】
2014171933.tif 000009
【図２】
2014171933.tif 000010